(57)【特許請求の範囲】
【請求項１】
締付金具に先端を螺合して型枠に締め付ける軸ボルトと、該軸ボルトの基部を一側に組付け、他の一側に型枠間に架設するセパレータを、その端部において掛止する金具本体とで成り、金具本体に設けた、前記端部の嵌入部上に該端部の抜け止め用の少なくとも一対の規制片を設け、該規制片間に外部と前記嵌入部を連通する、前記端部の通過間隙を設けた連結金具において、前記規制片を、前記金具本体の相対する側部片の上端から切り込みを入れて金具本体の内側に弯曲状に折り返した形態の舌状片で構成すると共に、該規制片の折返し部片間を前記通過間隙とした、コンクリート型枠用セパレータの連結金具。
【発明の詳細な説明】
【技術分野】
【０００１】
本発明は、コンクリート躯体を構築する際に使用する型枠と該型枠間に配するセパレータの端部とを連結するために用いる、コンクリート型枠用セパレータの連結金具に関するものである。
【背景技術】
【０００２】
締付金具とこれに螺合する軸ボルトによって型枠に止着し、型枠間に架設するセパレータのナット付端部を嵌入、掛止する金具本体を備え、該金具本体の内側に一対の規制片を相対して内側に向けて突設し、この規制片によってセパレータの前記端部が金具本体から離脱を防止するようにした構造の、コンクリート型枠用ナット付セパレータの連結金具は公知で、前記規制片を金具本体の側部片の一部を切り起こして上端側を基部とする傾斜片で構成したもの（特許文献１）や、前記規制片を金具本体の上部片に連設した舌状片を基部において下方に折り曲げた傾斜片で構成したもの（特許文献２）がある。
【０００３】
【特許文献１】意匠登録第１１４０１３７号公報
【特許文献２】特開２００５−１４６８３３号公報
【発明の開示】
【発明が解決しようとする課題】
【０００４】
前記従来例は、いずれも金具本体に相対設した規制片が傾斜片で構成しているので、セパレータのナット付端部の先端螺子部を該規制片間の通過間隙を通じて金具本体の嵌入部内に落し込むに際し、強制力の負荷によって塑性変形し易く、従って、規制片間の通過間隙が広がり、規制片としての抜け止め機能（外れ防止機能）の低減を甘受せざるを得なかった。また、セパレータ端部連結（嵌入、掛止）前段階の仮置き状態（端部を規制片上に載せた状態）にあっては、セパレータを圧入する際の打撃によって生じる大きな振動によってセパレータが跳ね上がり、規制片上から脱落する場合もある。
【０００５】
本発明は、斯様な従来例と較べ、施工性や抜け止め機能に優れた連結金具を提供すべく創案したものである。
【課題を解決するための手段】
【０００６】
締付金具に先端を螺合して型枠に締め付ける軸ボルトと、該軸ボルトの基部を一側に組付け、他の一側に型枠間に架設するセパレータを、その端部において掛止する金具本体とで成り、金具本体に設けた、前記端部の嵌入部上に前記端部の抜け止め用の少なくとも一対の規制片を設け、該規制片間に外部と前記嵌入部を連通する、前記端部の通過間隙を設けた連結金具において、前記規制片を、前記金具本体の相対する側部片の上端から切り込みを入れて金具本体の内側に弯曲状に折り返した舌状片で構成すると共に、該規制片の折返し部片間を前記通過間隙とした構成とするのである。
【発明の効果】
【０００７】
本発明によれば、弯曲状の舌状片で規制片を構成してあるので規制片の位置を下方に下げることができ、仮置きした場合に外れ難くなり、上記従来技術のように単なる傾斜状のものに比べて弾性復元力が高まり、従って、施工性と抜け止め効果を尚一層期待できる連結金具を提供できる。
【実施例】
【０００８】
図面は本発明に係るコンクリート型枠用セパレータの連結金具の一実施例を示し、図１は断面図、図２は平面図、図３は図１の側面図、図４はセパレータ仮置き時の一部欠截正面図、図５は図４のａ−ａ線断面図、図６はセパレータ連結状態時の一部欠截正面図、図７は図６のｂ−ｂ線断面図である。
【０００９】
実施例の連結金具Ａは、金具本体１と軸ボルト２を互いに組付けて構成し、コンクリート型枠１００に軸ボルト２を貫通させ、該軸ボルト２の先端に締付金具５を螺合して締め付けて前記型枠１００に組付け、コンクリート型枠１００の内側面に突出して配した前記金具本体１に、相対するコンクリート型枠１００，１００間に介在させるセパレータ３のナット付端部を嵌入、掛止して組付けるようにして、セパレータ３と前記の型枠１００間に介在させてこれらを連結するために用いるものである。
【００１０】
なお、実施例の連結金具Ａは、金具本体１と前記型枠１００との間に前記軸ボルト２を貫通させたカップ（コーン）４を配して、型枠１００，１００間にコンクリート打設後、軸ボルト２に設けた切断部において切断して（前記カップ４で構成される凹入部を利用して）コンクリート構築物より突出する軸ボルト２の先端側を取り除くようにしているが、カップ４を省略した構造の、すなわち、軸ボルト２を分断しない或いは分断する構造の、連結金具（金具本体と軸ボルトのみで成る）にも本発明を適用できることは勿論である。
【００１１】
金具本体１は、鋼板をプレス成形して構成したもので、前後の部片１ａ，１ｂと左右の側部片１ｃ，１ｃおよび底部片１ｄから成る、全体として各隅部を丸くした上端開口の方形箱状体で成り、前後の部片１ａ，１ｂの中央にはそれぞれ上開口状の切欠を設け、前部片１ａ側の切欠を前記セパレータ３のナット付端部の、周溝で成る頸部６が底縁に係合する係合切欠７と成し、後部片１ｂ側の切欠を前記軸ボルト２の係止鍔８側の基部を強制的に嵌着させた組付け切欠９と成し、底部片１ｄの中央部には透孔１０を設けて本体１内に打設コンクリートが確実に圧入し、かつ、本体１内の水の溜りを防止するようにしてある（水が溜ると氷結してコンクリートに亀裂が生じる場合がある）。
【００１２】
また、金具本体１の、相対する前記側部片１ｃ，１ｃには該部片１ｃの上端から２条の切込みで区画した舌状片を本体１の内側に向けて弯曲状に折り返した形態の規制片１１，１１を相対設し、該規制片１１，１１と前記後部片１ｂとの間隙を前記係止鍔８の収納室１２、規制片と前記前部片１ａとの間隙を前記セパレータのナット付端部のナット材１３の収納室１４とし、これら収納室１２，１４間の、前記規制片１１，１１の直下を前記ナット付端部の先端螺子部３ａの嵌入部１５とし、規制片１１，１１の、相対する折返し部片１１ａ，１１ａ間を前記先端螺子部３ａの通過間隙１６としたものである。
【００１３】
なお、一対の折返し部片１１ａ，１１ａは必ずしも正対位置にある必要はなく、セパレータ３の軸心方向あるいは高さ方向に多少ずれてもよく、さらにその数を増やすことも可能である。また、セパレータ３の先端螺子部３ａではなく、ナット材１３の部分で掛止するようにしてもよい。
【００１４】
軸ボルト２は、基端に前記係止鍔８を備え、先端側をねじ部として、前記カップ４を組付けたもので、中間部にカップ４の離れ止め用と型枠１００に対する廻り止め用の突起１７，１７を、また、前記係止鍔８の近接位置に周溝を設けて頸部１８と成し、該頸部１８において分断が簡便に行えるようにしたものである。
【００１５】
そして、金具本体１の後部片１ｂに設けた組付切欠９に、軸ボルト２を一致させるようにして係止鍔８を金具本体１に強制的に押し込む（叩き込む）か或いは予め広めに開いた状態で挿入してから狭めると、前記軸ボルト２の係止鍔８側の基部は組付け切欠９の狭あい部を経て組付け切欠９の底縁上に載置され、かつ、係止鍔８は収納室１２に収納され、金具本体１と軸ボルト２を互いに組付けて連結金具Ａとしたものである。
【００１６】
しかして、相対する型枠１００に設けた貫通孔に型枠１００の内側から軸ボルト２を貫通させ、型枠外側面より突出する軸ボルト２の先端に締付金具５を螺合締付けると、前記型枠１００の内側面に相対して金具本体１が突出状態にして配せられ、この金具本体１の規制片１１，１１間上にナット付端部の先端螺子部３ａを載置するようにして相対して配した金具本体１，１上にセパレータ３を載置し、該セパレータ３の適所を叩打するか或いは押し込むと、前記先端螺子部３ａは規制片１１，１１間すなわち通過間隙１６を強制的に通過して規制片１１，１１の下方の嵌入部１５に収容され、かつ、ナット材１３も収納室１４に収納されてセパレータ３による型枠の連結状態すなわち実施例連結金具Ａの使用状態を得られるのである。
【００１７】
図８は、本発明に係るコンクリート型枠用セパレータの連結金具の他の実施例を示す。この実施例では、相対する折返し部片が傾斜状に形成されていることにより、セパレータ３の先端螺子部３ａに対してその端面を当接させることができるから、その掛止効果をより高めることができる。
【００１８】
なお、上記各実施例では、端部に予めナットを螺着したセパレータに適用する事例について説明したが、例えば特許第３３５６７３８号公報に開示されるように、金具本体内に半割り状のナットが一体に設けられた構造にももちろん適用可能である。
【図面の簡単な説明】
【００１９】
【図１】断面図。
【図２】平面図。
【図３】図１の側面図。
【図４】セパレータ仮置き時の一部欠截正面図。
【図５】図４のａ−ａ線断面図。
【図６】セパレータ連結状態時の一部欠截正面図。
【図７】図６のｂ−ｂ線断面図。
【図８】他の実施例の断面図。
【符号の説明】
【００２０】
１          金具本体
１ｃ        側部片
２          軸ボルト
３          セパレータ
３ａ        先端螺子部
１１        規制片
１１ａ      折返し部片
１５        嵌入部
１６        通過間隙
１００      型枠
【図１】
0004786962.tif 000002
【図２】
0004786962.tif 000003
【図３】
0004786962.tif 000004
【図４】
0004786962.tif 000005
【図５】
0004786962.tif 000006
【図６】
0004786962.tif 000007
【図７】
0004786962.tif 000008
【図８】
0004786962.tif 000009